(57)【要約】      （修正有）【課題】繰り返し使用が可能で、経済的な円筒体用梱包材を提供する。【解決手段】芯材１１が、円筒状を成し、長尺物を巻き取るための巻き芯を成している。１対の端部カバー１２が、長尺物を円筒状に巻いて成る円筒体１の両端部を覆うよう設けられている。各端部カバー１２は、円環状の中央部と、中央部の周囲から放射状に伸びるよう設けられた複数の突出片とを有している。端部カバー１２は、円筒体１の端面１ａを中央部で覆って貫通孔を芯材１１の内部に連通させ、各突出片を円筒体１の側面１ｂに沿って中央部に対して折り曲げ、隣り合った突出片同士を重ね合わせた状態でそれぞれオス側面ファスナーとメス側面ファスナーとで固定可能に構成されている。各端部カバー１２は展開して芯材１１の内部に収納可能である。側部カバー１３が、各端部カバー１２で両端部を覆われた円筒体１の側面１ｂを覆うよう設けられている。側部カバー１３は丸めて芯材１１の内部に収納可能である。【選択図】図１
0003157125.tif 000002
【実用新案登録請求の範囲】
【請求項１】
長尺物を円筒状に巻いて成る円筒体を梱包するための円筒体用梱包材であって、
前記長尺物を巻き取るための円筒状の芯材と、
組立および展開可能であって展開して前記芯材の内部に収納可能な、それぞれ前記円筒体の両端部を覆うための１対の端部カバーと、
前記芯材の内部に収納可能であって、各端部カバーで両端部を覆われた前記円筒体の側面を覆うための側部カバーとを、
有することを特徴とする円筒体用梱包材。
【請求項２】
前記端部カバーは、中央に貫通孔を有する円環状の中央部と、前記中央部の周囲から放射状に伸びる複数の突出片と、各突出片の一方の表面に設けられたオス側面ファスナーと、各突出片の他方の表面に設けられたメス側面ファスナーとを有し、前記円筒体の端面を前記中央部で覆って前記貫通孔を前記芯材の内部に連通させ、各突出片を前記円筒体の側面に沿って前記中央部に対して折り曲げ、隣り合った突出片同士を重ね合わせた状態でそれぞれ前記オス側面ファスナーと前記メス側面ファスナーとで固定可能に構成されていることを、特徴とする請求項１記載の円筒体用梱包材。
【考案の詳細な説明】
【技術分野】
【０００１】
本考案は、フィルム原反などの長尺物を円筒状に巻いて成る円筒体を梱包するための円筒体用梱包材に関する。
【背景技術】
【０００２】
従来、フィルム原反などの円筒状に巻かれた円筒体を梱包する方法として、円筒体にクラフト紙を巻き付けて覆う方法や、紙製の箱から成る梱包体に円筒体を収納するものがある（例えば、特許文献１参照）。一般的に、フィルム原反などの薄い長尺物は、紙製の芯材に巻き取られて円筒状に形成されている。
【先行技術文献】
【特許文献】
【０００３】
【特許文献１】特開平７−６９３４１号公報
【考案の概要】
【考案が解決しようとする課題】
【０００４】
従来のクラフト紙で覆うものや紙製の梱包体に収納するものは、１回使用するとクラフト紙や梱包体が皺になったり破損したりするため、繰り返し使用できず、使い捨てになるという課題があった。このため、それらの製造コストや廃棄コストが嵩むという課題があった。また、紙製の芯材も、１回使用すると傷が付いたり破損したりするため、繰り返し使用できず、使い捨てになるという課題があった。
【０００５】
本考案は、このような課題に着目してなされたもので、繰り返し使用が可能で、経済的な円筒体用梱包材を提供することを目的とする。
【課題を解決するための手段】
【０００６】
上記目的を達成するために、本考案に係る円筒体用梱包材は、長尺物を円筒状に巻いて成る円筒体を梱包するための円筒体用梱包材であって、前記長尺物を巻き取るための円筒状の芯材と、組立および展開可能であって展開して前記芯材の内部に収納可能な、それぞれ前記円筒体の両端部を覆うための１対の端部カバーと、前記芯材の内部に収納可能であって、各端部カバーで両端部を覆われた前記円筒体の側面を覆うための側部カバーとを、有することを特徴とする。
【０００７】
本考案に係る円筒体用梱包材は、新聞や、食品包装に使用されるフィルム原反などの長尺物を円筒状に巻いて成る円筒体を梱包するために使用される。本考案に係る円筒体用梱包材は、芯材、各端部カバーおよび側部カバーを合成樹脂などの丈夫で破損しにくい材質とすることにより、繰り返し使用することができ、使い捨ての場合に比べて製造コストや廃棄コストを低減することができることから経済的である。各端部カバーおよび側部カバーを折り畳んだり丸めたりして芯材の内部に収納できるため、保管や回収が容易である。このように、本考案に係る円筒体用梱包材は、通い包装として繰り返し使用することができ、１回使用するたびに廃棄処理しなくてよい。
【０００８】
また、本考案に係る円筒体用梱包材は、芯材、各端部カバーまたは側部カバーを合成樹製とすることにより、破損した場合にも、再生原料としてリサイクルすることができる。このため、新たな廃棄物を発生させず、資源の有効利用を図ることができる。芯材、各端部カバーまたは側部カバーを、プラスチック段ボールなどの衝撃に強い素材で形成することにより、運搬時や保管時にフィルム原反などの円筒体が損傷するのを防ぐことができる。
【０００９】
本考案に係る円筒体用梱包材において、前記端部カバーは、中央に貫通孔を有する円環状の中央部と、前記中央部の周囲から放射状に伸びる複数の突出片と、各突出片の一方の表面に設けられたオス側面ファスナーと、各突出片の他方の表面に設けられたメス側面ファスナーと有し、前記円筒体の端面を前記中央部で覆って前記貫通孔を前記芯材の内部に連通させ、各突出片を前記円筒体の側面に沿って前記中央部に対して折り曲げ、隣り合った突出片同士を重ね合わせた状態でそれぞれ前記オス側面ファスナーと前記メス側面ファスナーとで固定可能に構成されていることが好ましい。
【００１０】
この場合、それぞれ１枚のシート材を加工することにより、各端部カバーを容易に製造することができる。このため、円筒体の大きさに応じて、大きさの異なる端部カバーを容易に製造することができる。また、各端部カバーがシート状であるため、芯材の内部に収納しやすい。突出片は、折り返す手間をできるだけ少なくするとともに、中央部に対して折り曲げやすく、折り曲げたとき円筒体の側面形状に沿って滑らかな形状を成すようにするため、６〜９枚、特に８枚から成ることが好ましい。
【考案の効果】
【００１１】
本考案によれば、繰り返し使用が可能で、経済的な円筒体用梱包材を提供することができる。
【図面の簡単な説明】
【００１２】
【図１】本考案の実施の形態の円筒体用梱包材を示す（ａ）一方の端部カバーを取り付けたときの斜視図、（ｂ）１対の端部カバーを取り付けたときの斜視図、（ｃ）さらに側部カバーを取り付けたときの斜視図である。
【図２】図１に示す円筒体用梱包材の端部カバーの（ａ）正面図、（ｂ）背面図である。
【図３】図１に示す円筒体用梱包材の側部カバーを示す正面図である。
【考案を実施するための形態】
【００１３】
以下、図面に基づき本考案の実施の形態について説明する。
図１乃至図３は、本考案の実施の形態の円筒体用梱包材を示している。
図１に示すように、本考案の実施の形態の円筒体用梱包材は、長尺物を円筒状に巻いて成る円筒体１を梱包するための円筒体用梱包材であって、芯材１１と１対の端部カバー１２と側部カバー１３とを有している。
【００１４】
図１に示すように、芯材１１は、硬質の樹脂製で円筒状を成している。芯材１１は、長尺物を巻き取るため、長尺物の巾に合わせた所定の長さを有している。芯材１１は、円筒体１の巻き芯となる。円筒体１は、新聞や、食品包装に使用されるフィルム原反などの薄い長尺物を、芯材１１の外側面に沿って巻き取って円筒状に形成されている。
【００１５】
図２に示すように、各端部カバー１２は、プラスチック段ボール製で、薄いシート状である。各端部カバー１２は、中央部２１と、複数、好ましくは８枚の突出片２２とを有している。中央部２１は、中央に円形の貫通孔２１ａを有し、円環状を成している。中央部２１は、円筒体１の外径と同じ外径を有している。また、貫通孔２１ａの径は、芯材１１の内径と外径の中間径であることが好ましい。
【００１６】
各突出片２２は、中央部２１の周囲から外方に放射状に伸びるよう、中央部２１の中心に対して等角度間隔で設けられている。各突出片２２は、中央部２１との接続位置２２ａから外方端部２２ｂに向かって、徐々に幅が広がるよう形成されている。各突出片２２は、中央部２１との接続位置２２ａで隣の突出片２２との間に隙間がなく、外方端部２２ｂに向かって隣の突出片２２との隙間が徐々に広がるよう形成されている。
【００１７】
各端部カバー１２は、各突出片２２の一方の表面の外方端部２２ｂに設けられたオス側面ファスナー２３と、各突出片２２の他方の表面の外方端部２２ｂに設けられたメス側面ファスナー２４とを有している。オス側面ファスナー２３とメス側面ファスナー２４とは、互いに着脱可能である。各端部カバー１２は、各突出片２２を中央部２１に対して折り曲げてオス側面ファスナー２３とメス側面ファスナー２４とを貼り合わせることによりカップ状に組立可能であり、また、各突出片２２を中央部２１と平坦になるよう展開可能である。
【００１８】
図１（ａ）および（ｂ）に示すように、端部カバー１２は、円筒体１の両端面１ａを中央部２１で覆って貫通孔２１ａを芯材１１の内部に連通させ、各突出片２２を中央部２１との接続位置２２ａで、円筒体１の側面１ｂに沿って中央部２１に対して直角方向に折り曲げ、隣り合った突出片２２同士を重ね合わせた状態で、それぞれオス側面ファスナー２３とメス側面ファスナー２４とで固定可能に構成されている。こうして、各端部カバー１２は、円筒体１の両端部を覆うようになっている。
【００１９】
図３に示すように、側部カバー１３は、プラスチック段ボール製で、矩形の薄いシート状を成している。側部カバー１３は、円筒体１の長さと同じ巾を有し、円筒体１の側面１ｂに沿って巻き付けたとき、両端部１３ａ，１３ｂが重なり合う長さを有している。側部カバー１３は、一方の表面の一方の端部１３ａに沿って所定の間隔で設けられた複数（例えば３つ）のオス側面ファスナー２５と、他方の表面の他方の端部１３ｂに沿って、各オス側面ファスナー２５に対応する位置に設けられた複数（例えば３つ）のメス側面ファスナー２６とを有している。オス側面ファスナー２５とメス側面ファスナー２６とは、互いに着脱可能である。
【００２０】
図１（ｃ）に示すように、側部カバー１３は、各端部カバー１２で両端部を覆われた円筒体１の側面１ｂに沿って巻き付けたとき、両端部１３ａ，１３ｂが重なり合って、各オス側面ファスナー２５とそれぞれに対応する各メス側面ファスナー２６とで固定されるよう構成されている。また、このとき、側部カバー１３は、各端部カバー１２の各突出片２２と、露出している円筒体１の側面１ｂとを覆うようになっている。
【００２１】
本考案の実施の形態の円筒体用梱包材は、各端部カバー１２および側部カバー１３を丸めて、芯材１１の両端からはみ出さないよう、芯材１１の内部に収納可能になっている。
【００２２】
次に、作用について説明する。
本考案の実施の形態の円筒体用梱包材は、新聞や、食品包装に使用されるフィルム原反などを円筒状に巻いて成る円筒体１を梱包するのに使用される。本考案の実施の形態の円筒体用梱包材は、まず、図１（ａ）および（ｂ）に示すように、芯材１１に巻き取られて形成された円筒体１の両端部を、それぞれ各端部カバー１２で覆う。このとき、円筒体１の両端面１ａを各端部カバー１２の中央部２１で覆い、各突出片２２を中央部２１との接続位置２２ａで、円筒体１の側面１ｂに沿って中央部２１に対して直角に折り曲げる。隣り合った突出片２２同士を重ね合わせたならば、重なり合った部分の互いのオス側面ファスナー２３とメス側面ファスナー２４とを貼り合わせる。突出片２２は薄いシート状のプラスチック段ボール製のため、中央部２１に対して折り曲げやすく、折り曲げたとき円筒体１の側面１ｂの形状に沿って滑らかな形状を成すようにできる。
【００２３】
各端部カバー１２で円筒体１の両端部を覆ったならば、図１（ｃ）に示すように、側部カバー１３を、円筒体１の側面１ｂに沿って巻き付ける。このとき、側部カバー１３の両端部１３ａ，１３ｂが重なり合うため、各オス側面ファスナー２５とそれぞれに対応する各メス側面ファスナー２６とを貼り合わせる。これにより、各端部カバー１２の各突出片２２と、露出している円筒体１の側面１ｂとを、側部カバー１３で覆うことができる。こうして、本考案の実施の形態の円筒体用梱包材により、円筒体１を梱包することができる。
【００２４】
円筒体１を梱包したとき、各端部カバー１２の貫通孔２１ａが芯材１１の内部に連通するため、貫通孔２１ａから芯材１１の内部に指や棒などを入れて、運搬や保管を容易にすることができる。また、芯材１１、各端部カバー１２または側部カバー１３が、衝撃に強い硬質またはプラスチック段ボールの樹脂製のため、運搬時や保管時にフィルム原反などの円筒体１が損傷するのを防ぐことができる。
【００２５】
本考案の実施の形態の円筒体用梱包材は、芯材１１、各端部カバー１２および側部カバー１３がプラスチック段ボールなどの樹脂製のため、紙製のものと比べて、皺になったり傷が付いたり破損したりしにくい。このため、繰り返し使用することができ、使い捨ての場合に比べて製造コストや廃棄コストを低減することができ、経済的である。シート状の各端部カバー１２および側部カバー１３は畳んだり丸めたりして芯材１１の内部に収納できるため、使用後の保管や回収が容易である。このように、本考案の実施の形態の円筒体用梱包材は、通い包装として繰り返し使用することができ、１回使用するたびに廃棄処理しなくてよい。
【００２６】
本考案の実施の形態の円筒体用梱包材は、１枚のシート材を加工することにより、それぞれ各端部カバー１２および側部カバー１３を容易に製造することができる。このため、円筒体１の大きさに応じて、大きさの異なる端部カバー１２および側部カバー１３を容易に製造することができる。また、芯材１１、各端部カバー１２または側部カバー１３がプラスチック段ボールなどの樹脂製のため、破損した場合でも、再生原料としてリサイクルすることができる。このため、新たな廃棄物を発生させず、資源の有効利用を図ることができる。
【符号の説明】
【００２７】
１    円筒体
１１  芯材
１２  端部カバー
２１  中央部
２１ａ  貫通孔
２２  突出片
２３  オス側面ファスナー
２４  メス側面ファスナー
１３  側部カバー
２５  オス側面ファスナー
２６  メス側面ファスナー
【図１】
0003157125.tif 000003
【図２】
0003157125.tif 000004
【図３】
0003157125.tif 000005